【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
非磁性の第１の導体、非磁性の第２の導体、及び前記第１の導体と前記第１の導体の間に配置された、磁界方向に感応する磁気センサを備えた磁界角計測装置であって、
前記磁界角計測装置はセンサ磁石とともに用いられ、前記磁界角計測装置が、前記センサ磁石に対して所定の位置に配置された際に、
前記第１の導体中に流れる渦電流が前記磁気センサに及ぼす磁界、及び前記第２の導体中の渦電流が前記磁気センサに及ぼす磁界が、互いに打ち消し合う磁界角計測装置。
【請求項２】
磁界方向に感応する磁気センサと、
非磁性の第１の導体と、非磁性の第２の導体とを備えた磁界角計測装置であって、
前記磁気センサは、前記第１の導体と前記第２の導体との間に配置され、
前記第１の導体のシート抵抗が、前記第２の導体のシート抵抗よりも大きいことを特徴とする磁界角計測装置。
【請求項３】
請求項２に記載された磁界角計測装置において、
前記磁気センサはセンサ磁石とともに用いられ、前記磁気センサが、前記センサ磁石に対して所定の位置に配置された際に、前記第１の導体を前記磁気センサの前面側に配置し、前記第２の導体を前記磁気センサの背面側に配置した磁界角計測装置。
【請求項４】
請求項２に記載された磁界角計測装置において、
前記第１の導体の厚さは、前記第２の導体の厚さよりも薄いことを特徴とする磁界角計測装置。
【請求項５】
請求項２に記載された磁界角計測装置において、
前記第１の導体の比抵抗は、前記第２の導体の比抵抗よりも大きいことを特徴とする磁界角計測装置。
【請求項６】
請求項２に記載された磁界角計測装置において、
前記第１の導体と前記第２の導体とのなす角が４５度以下であることを特徴とする磁界角計測装置。
【請求項７】
請求項２に記載された磁界角計測装置において、
前記第１の導体及び前記第２の導体は、互いに平行であることを特徴とする磁界角計測装置。
【請求項８】
請求項２に記載された磁界角計測装置において、
前記第１の導体及び前記第２の導体並びに前記磁気センサを、パッケージ内に収めたことを特徴とする磁界角計測装置。
【請求項９】
請求項８に記載された磁界角計測装置において、
前記パッケージの信号端子は、前記磁気センサから前記第２の導体側に出ていることを特徴とする磁界角計測装置。
【請求項１０】
請求項２に記載された磁界角計測装置において、
前記第１の導体若しくは前記第２の導体の少なくとも一方は、開口部を有することを特徴とする磁界角計測装置。
【請求項１１】
請求項２に記載された磁界角計測装置において、
前記第２の導体は、複数の導体から構成されることを特徴とする磁界角計測装置。
【請求項１２】
回転体と、
前記回転体と連動して回転するセンサ磁石と、
前記センサ磁石が発生する磁界の方向を計測する磁界角計測装置と、を備えた回転機であって、
前記磁界角計測装置は請求項２に記載の磁界角計測装置であり、
前記センサ磁石、前記第１の導体、前記磁気センサ、前記第２の導体の順序で配置される回転機。
【請求項１３】
請求項１２に記載された回転機において、
前記磁気センサを前記回転体の回転中心線上に配置したことを特徴とする回転機。
【請求項１４】
請求項１２に記載された回転機において、
前記磁気センサを前記センサ磁石の外周の外方に配置したことを特徴とする回転機。
【請求項１５】
請求項１２に記載された回転機において、
前記磁気センサの磁界感応面及び前記センサ磁石の回転面を、互いに平行に配置したことを特徴とする回転機。
【請求項１６】
請求項１２に記載された回転機において、
前記回転機を構成する部品を、前記第１の導体若しくは前記第２の導体に兼用することを特徴とする回転機。
【請求項１７】
請求項１２に記載された回転機において、
前記回転機の筐体の一部を、前記第１の導体又は前記第２の導体とすることを特徴とする回転機。
【請求項１８】
請求項１２に記載された回転機において、
前記第２の導体は、複数の導体で構成されることを特徴とする回転機。
【請求項１９】
回転体と、
前記回転体と連動して回転するセンサ磁石と、
前記センサ磁石が発生する磁界の方向を計測する磁界角計測装置と、を備えた回転機であって、
前記磁界角計測装置は、請求項１に記載された磁界角計測装置であり、前記センサ磁石の外周の外方に、前記磁気センサの磁界感応面が前記センサ磁石の回転面と平行となる位置に配置されたことを特徴とする回転機。
【請求項２０】
請求項１９に記載された回転機おいて、
前記第１の導体と前記第２の導体は、前記磁気センサの磁界感応面と平行に配置されたことを特徴とする回転機。
【請求項２１】
請求項１９に記載された回転機において、
前記センサ磁石と前記第１の導体との間の直線距離と、前記センサ磁石と前記第２の導体との間の直線距離とが等しいことを特徴とする回転機。
【請求項２２】
請求項１９に記載の回転機において、
前記第１の導体のシート抵抗と前記第２の導体のシート抵抗とが等しいことを特徴とする回転機。
【請求項２３】
請求項１９に記載の回転機において、
前記磁気センサは、前記第１の導体と前記第２の導体から挟まれた領域外にあることを特徴とする回転機。
【請求項２４】
請求項１又は２に記載された磁界角計測装置を備えた電動パワー・ステアリング・システム。
【請求項２５】
請求項１９に記載された回転機を備えた電動パワー・ステアリング・システム。
【請求項２６】
請求項１又は２に記載された磁界角計測装置を備えた電動車両駆動装置。
【請求項２７】
請求項３に記載された磁界角計測装置において、
前記第１の導体中に流れる渦電流が前記磁気センサに及ぼす磁界、及び前記第２の導体
中の渦電流が前記磁気センサに及ぼす磁界が、互いに打ち消し合う磁界角計測装置。
【請求項２８】
請求項１に記載された磁界角計測装置において、
前記第１の導体が前記磁気センサの前面側に配置され、前記第２の導体が前記磁気センサの背面側に配置され、
前記第１の導体のシート抵抗が、前記第２の導体のシート抵抗よりも大きいことを特徴
とする磁界角計測装置。
【請求項２９】
請求項１に記載された磁界角計測装置において、
前記第１の導体及び前記第２の導体並びに前記磁気センサを、パッケージ内に収めたこ
とを特徴とする磁界角計測装置。
【請求項３０】
請求項２８に記載された磁界角計測装置において、
前記第２の導体は、複数の導体から構成されることを特徴とする磁界角計測装置。
【請求項３１】
回転体と、
前記回転体と連動して回転するセンサ磁石と、
前記センサ磁石が発生する磁界の方向を計測する磁界角計測装置と、を備えた回転機で
あって、
前記磁界角計測装置は請求項１に記載の磁界角計測装置であり、
前記センサ磁石、前記第１の導体、前記磁気センサ、前記第２の導体の順序で配置され
る回転機。
【手続補正２】
【補正対象書類名】明細書
【補正対象項目名】００６５
【補正方法】変更
【補正の内容】
【００６５】
2013104698.tif 000001
導体板のシート抵抗をRとすると、渦電流(eddy current) Jeは次式で表される。シート抵抗Rとは、単位面積当たりの抵抗値であり、Ω／square（Ohm per square）の単位を持つ。シート抵抗Rは、比抵抗ρと板厚tとの間にR＝ρ／tの関係がある。